(57)【要約】【課題】敷居溝に異物が入ることを防止することができるとともに、長寿命化を図ることができるエレベータのドア装置、及びエレベータの敷居溝閉塞装置を得る。【解決手段】可動閉塞体２１は、敷居６に設けられた敷居溝７の上部で敷居溝７の開口部を塞ぐ閉塞位置と、閉塞位置よりも下方に位置し敷居溝７の開口部を開放する開放位置との間で変位可能になっている。可動閉塞体２１は、敷居６に対する係合リンク３２の回動に応じて変位される。係合リンク３２は、敷居溝７に挿入される係合部３５を有している。出入口４を開閉する引き戸１１の下端部には、カム５１が設けられている。カム５１は、引き戸１１が戸開位置あるときに係合部３５を押して可動閉塞体２１の位置を閉塞位置に保ち、引き戸１１が戸開位置から戸閉方向へ移動されることにより係合部３５から外れて可動閉塞体２１の開放位置への変位を可能とする。【選択図】図４
2013001482.tif 000002
【特許請求の範囲】
【請求項１】
出入口の間口方向への移動により上記出入口を開閉する引き戸、
上記引き戸の下端部が挿入される敷居溝が上記引き戸の移動方向に沿って設けられ、上記出入口の下部に設けられた敷居、
上記敷居溝の上部で上記敷居溝の開口部を塞ぐ閉塞位置と、上記閉塞位置よりも下方に位置し上記敷居溝の開口部を開放する開放位置との間で変位可能な可動閉塞体、
上記敷居溝内に挿入される係合部を含み上記敷居に対して回動可能な係合回動体を有し、上記係合回動体の回動に応じて上記可動閉塞体が変位される連動装置、及び
上記引き戸の下端部に設けられ、上記出入口を開く戸開位置に上記引き戸があるときに上記係合部を押して上記可動閉塞体の位置を上記閉塞位置に保ち、上記引き戸が上記戸開位置から戸閉方向へ移動されることにより上記係合部から外れて上記可動閉塞体の上記開放位置への変位を可能とするカム
を備えていることを特徴とするエレベータのドア装置。
【請求項２】
上記可動閉塞体を上記開放位置へ付勢する付勢体をさらに備え、
上記カムは、上記引き戸が上記戸開位置にあるときに上記付勢体の付勢力に逆らって上記係合部を押し、
上記可動閉塞体は、上記カムが上記係合部から外れることにより上記付勢体の付勢力によって上記開放位置へ変位されることを特徴とする請求項１に記載のエレベータのドア装置。
【請求項３】
上記引き戸は、引き戸本体と、上記引き戸本体の下端部に設けられ、上記敷居溝に沿った方向について互いに離して配置された一対の戸の脚とを有し、
上記一対の戸の脚は、上記係合部を避けて上記敷居溝内を移動可能になっており、
上記カムは、上記一対の戸の脚のうち、戸閉側に位置する上記戸の脚に設けられていることを特徴とする請求項１又は請求項２に記載のエレベータのドア装置。
【請求項４】
上記連動装置は、上記係合回動体よりも戸閉側に配置され上記敷居に対して回動可能な従動回動体をさらに有し、
上記係合回動体は、上記敷居に設けられた第１の敷居側回動軸を中心に回動可能になっているとともに、上記可動閉塞体に設けられた第１の可動体側回動軸を中心に回動可能になっており、
上記従動回動体は、上記敷居に設けられた第２の敷居側回動軸を中心に回動可能になっているとともに、上記可動閉塞体に設けられた第２の可動体側回動軸を中心に回動可能になっていることを特徴とする請求項１乃至請求項３のいずれか一項に記載のエレベータのドア装置。
【請求項５】
出入口の間口方向への移動により上記出入口を開閉する引き戸の下端部が挿入される敷居溝の上部で上記敷居溝の開口部を塞ぐ閉塞位置と、上記閉塞位置よりも下方に位置し上記敷居溝の開口部を開放する開放位置との間で変位可能な可動閉塞体、
上記敷居溝内に挿入される係合部を含み上記敷居に対して回動可能な係合回動体を有し、上記係合回動体の回動に応じて上記可動閉塞体が変位される連動装置、及び
上記引き戸の下端部に設けられ、上記出入口を開く戸開位置に上記引き戸があるときに上記係合部を押して上記可動閉塞体の位置を上記閉塞位置に保ち、上記引き戸が上記戸開位置から戸閉方向へ移動されることにより上記係合部から外れて上記可動閉塞体の上記開放位置への変位を可能とするカム
を備えていることを特徴とするエレベータの敷居溝閉塞装置。
【発明の詳細な説明】
【技術分野】
【０００１】
この発明は、出入口を開閉するエレベータのドア装置、及び出入口が開いているときに出入口の敷居溝を閉塞するエレベータの敷居溝閉塞装置に関するものである。
【背景技術】
【０００２】
従来、エレベータの出入口の下部に設けられた敷居の溝に異物が入ることを防止するために、表面に案内溝が螺旋状に形成された円柱状の回転体を敷居の溝内に回転可能に配置し、出入口を開閉するドアの下端部に設けられた戸の脚を回転体の案内溝に挿入して、出入口の開閉時に戸の脚を案内溝に案内させながらドアを移動させることにより、回転体を敷居の溝内で回転させるようにしたエレベータの敷居装置が提案されている（例えば特許文献１参照）。
【０００３】
また、従来、エレベータの出入口の敷居溝に異物が入ることを防止するために、敷居溝の上部を塞ぐ可撓性の閉塞帯を複数のばねで支持し、出入口を開閉する扉の下端部に設けられたガイドシューで閉塞帯を下に押しながら扉を移動させるようにしたエレベータ敷居溝閉塞装置も提案されている（例えば特許文献２参照）。
【先行技術文献】
【特許文献】
【０００４】
【特許文献１】特開２００５−１７０６３１号公報
【特許文献２】特開２００２−１２０９８７号公報
【発明の概要】
【発明が解決しようとする課題】
【０００５】
しかし、特許文献１に示されたエレベータの敷居装置では、ドアが出入口を開閉するときに、戸の脚が回転体の案内溝の内面に接触しながら移動することとなるので、出入口の開閉時にドアに対する摺動抵抗が大きくなってしまうとともに、戸の脚や回転体の摩耗が促進されて敷居装置の寿命が短くなってしまう。
【０００６】
また、特許文献２に示されたエレベータ敷居溝閉塞装置でも、出入口の開閉時に扉のガイドシューが閉塞帯に接触しながら移動されるので、扉に対する摺動抵抗が大きくなってしまうとともに、ガイドシューや閉塞帯の摩耗が促進されて寿命が短くなってしまう。
【０００７】
この発明は、上記のような課題を解決するためになされたものであり、敷居溝に異物が入ることを防止することができるとともに、長寿命化を図ることができるエレベータのドア装置を得ることを目的とする。
【課題を解決するための手段】
【０００８】
この発明に係るエレベータのドア装置は、出入口の間口方向への移動により出入口を開閉する引き戸、引き戸の下端部が挿入される敷居溝が引き戸の移動方向に沿って設けられ、出入口の下部に設けられた敷居、敷居溝の上部で敷居溝の開口部を塞ぐ閉塞位置と、閉塞位置よりも下方に位置し敷居溝の開口部を開放する開放位置との間で変位可能な可動閉塞体、敷居溝内に挿入される係合部を含み敷居に対して回動可能な係合回動体を有し、係合回動体の回動に応じて可動閉塞体が変位される連動装置、及び引き戸の下端部に設けられ、出入口を開く戸開位置に引き戸があるときに係合部を押して可動閉塞体の位置を閉塞位置に保ち、引き戸が戸開位置から戸閉方向へ移動されることにより係合部から外れて可動閉塞体の開放位置への変位を可能とするカムを備えている。
【０００９】
この発明に係るエレベータの敷居溝閉塞装置は、出入口の間口方向への移動により出入口を開閉する引き戸の下端部が挿入される敷居溝の上部で敷居溝の開口部を塞ぐ閉塞位置と、閉塞位置よりも下方に位置し敷居溝の開口部を開放する開放位置との間で変位可能な可動閉塞体、敷居溝内に挿入される係合部を含み敷居に対して回動可能な係合回動体を有し、係合回動体の回動に応じて可動閉塞体が変位される連動装置、及び引き戸の下端部に設けられ、出入口を開く戸開位置に引き戸があるときに係合部を押して可動閉塞体の位置を閉塞位置に保ち、引き戸が戸開位置から戸閉方向へ移動されることにより係合部から外れて可動閉塞体の開放位置への変位を可能とするカムを備えている。
【発明の効果】
【００１０】
この発明に係るエレベータのドア装置及び敷居溝閉塞装置では、引き戸の下端部にカムが設けられ、引き戸が戸開位置にあるときに係合回動体の係合部がカムに押されて可動閉塞体の位置が閉塞位置に保たれ、引き戸が戸開位置から戸閉方向へ移動されることによりカムが係合部から外れて可動閉塞体が開放位置へ変位可能となるので、出入口が開いているときに、可動閉塞体で敷居溝を塞ぐことができる。これにより、敷居溝に異物が入ることを防止することができる。また、カムが係合部から外れた状態では、可動閉塞体を引き戸の下方に変位させておくことができる。これにより、出入口を開閉するときに、可動閉塞体を引き戸に接触させずに引き戸を移動させることができ、ドア装置の長寿命化を図ることができる。
【図面の簡単な説明】
【００１１】
【図１】この発明の実施の形態１によるエレベータのかごを示す一部破断正面図である。
【図２】図１のエレベータの出入口が開いている状態を示す一部破断正面図である。
【図３】図１の一方の閉塞体装置を示す断面図である。
【図４】図２の一方の閉塞体装置を示す断面図である。
【図５】図３のV-V線に沿った断面図である。
【図６】図３のVI-VI線に沿った断面図である。
【図７】図４のVII-VII線に沿った断面図である。
【図８】図４のVIII-VIII線に沿った断面図である。
【図９】図３の第１の戸の脚を示す一部破断斜視図である。
【図１０】図９のX-X線に沿った断面図である。
【図１１】図３の第２の戸の脚を示す斜視図である。
【図１２】図１１のXII-XII線に沿った断面図である。
【発明を実施するための形態】
【００１２】
実施の形態１．
図１は、この発明の実施の形態１によるエレベータのかごを示す一部破断正面図である。また、図２は、図１のエレベータの出入口が開いている状態を示す一部破断正面図である。図において、昇降路内を昇降するかご１は、かご枠（図示せず）と、かご枠に支持されたかご床２と、かご床２上に支持されたかご室３とを有している。
【００１３】
かご室３の正面壁には、かご室３内に対して乗客が乗降するためのエレベータの出入口（かご出入口）４が設けられている。かご室３の正面壁のうち、出入口４の左右いずれかの部分（即ち、袖壁）には、かご室３内の乗客により操作可能なかご操作盤５がかご室３内に露出して設けられている。
【００１４】
かご床２には、出入口４の下部に配置された敷居（かご敷居）６が水平に固定されている。敷居６の長さ寸法は、かご室３の幅寸法よりも長くなっている。敷居６には、上方へ開放された敷居溝７が出入口４の間口方向（幅方向）に沿って設けられている。敷居溝７は、敷居６の中間部で敷居６を上下に貫通する貫通溝部７ａと、敷居６の両端部で敷居６を貫通せず底部を持つ不貫通溝部７ｂとを有している。貫通溝部７ａの長さ寸法は、出入口４の間口寸法よりも大きくされている。
【００１５】
かご室３には、出入口４の上部に配置されたハンガケース９が水平に固定されている。ハンガケース９には、出入口４の間口方向に沿ったドアレール１０が固定されている。ハンガケース９及びドアレール１０の長さ寸法は、敷居６の長さ寸法とほぼ同じになっている。
【００１６】
ドアレール１０には、一対の引き戸（かごの戸）１１が掛けられている。各引き戸１１は、かご１に設けられた図示しないドア駆動装置の駆動力により、ドアレール１０に案内されながら、出入口４の間口方向に沿って互いに逆方向へ移動可能になっている。また、各引き戸１１は、出入口４を閉じる（全閉する）戸閉位置（図１）と、戸閉位置よりも出入口４の間口方向外側に位置し、出入口４を開く（全開する）戸開位置（図２）との間で移動可能になっている。即ち、各引き戸１１は、ドア駆動装置の駆動力を受けて出入口４の間口方向に沿って互いに逆方向へ移動されることにより、出入口４を開閉する。
【００１７】
各引き戸１１は、出入口４を開閉する引き戸本体であるドアパネル１２と、ドアパネル１２の上端部に設けられたドアハンガ１３と、ドアパネル１２の下端部に設けられ、敷居溝７に挿入される第１の戸の脚１４及び第２の戸の脚１５とを有している。
【００１８】
ドアハンガ１３は、ドアパネル１２の上端部に固定されたハンガ板（ハンガ本体）１６と、ハンガ板１６に設けられ、ドアレール１０に載せられた複数のハンガローラ１７とを有している。引き戸１１は、各ハンガローラ１７をドアレール１０上で転動させながら出入口４の間口方向へ移動される。
【００１９】
第１の戸の脚１４及び第２の戸の脚１５は、敷居溝７に沿った方向について互いに離して配置されている。第１の戸の脚１４は、第２の戸の脚１５よりも戸閉側に配置されている。各引き戸１１が戸開位置と戸閉位置との間を移動されるときには、引き戸１１の移動に応じて第１及び第２の戸の脚１４，１５が敷居溝７内を移動される。即ち、引き戸１１は、その下端部を敷居溝７内に挿入した状態を保ったまま戸開位置と戸閉位置との間を移動される。
【００２０】
敷居６には、出入口４の鉛直方向に沿った中心線に関して左右対称の位置に配置された一対の閉塞体装置２０が設けられている。一方の閉塞体装置２０及び他方の閉塞体装置２０は、出入口４の中心線に関して左右対称の構成になっている。従って、以下、一方の閉塞体装置２０の構成について説明し、他方の閉塞体装置２０の構成についての説明を省略する。なお、かご１には、敷居６から下方へ延びる保護板であるエプロン１８が設けられている。
【００２１】
図３は図１の一方の閉塞体装置２０を示す断面図、図４は図２の一方の閉塞体装置２０を示す断面図である。また、図５は図３のV-V線に沿った断面図、図６は図３のVI-VI線に沿った断面図、図７は図４のVII-VII線に沿った断面図、図８は図４のVIII-VIII線に沿った断面図である。図において、閉塞体装置２０は、貫通溝部７ａに沿って配置される可動閉塞体２１と、敷居６に対して可動閉塞体２１を変位可能に支持する連動装置２２と、可動閉塞体２１に接続された引きばね（付勢体）２３とを有している。
【００２２】
可動閉塞体２１は、貫通溝部７ａの上部で貫通溝部７ａの開口部を塞ぐ閉塞位置（図４）と、閉塞位置よりも下方に位置し、貫通溝部７ａの開口部を開放する開放位置（図３）との間で変位可能になっている。また、可動閉塞体２１は、敷居溝７の長さ方向へ水平に配置された水平板部２１ａと、水平板部２１ａの幅方向両端部から下方へ突出する一対の側板部２１ｂとを有している。水平板部２１ａの長さ方向両端部には、傾斜部が設けられている。可動閉塞体２１が閉塞位置にあるときには、水平板部２１ａの上面が敷居６の上面と同一平面上に配置される。可動閉塞体２１が開放位置にあるときには、第１及び第２の戸の脚１４，１５が可動閉塞体２１から離れた状態で可動閉塞体２１の上方を敷居溝７内で移動可能になる。
【００２３】
敷居６の下面には、連動装置２２を支持する第１の軸受（第１の取付部材）２４及び第２の軸受（第２の取付部材）２５と、開放位置にあるときの可動閉塞体２１を受けるストッパ（受け部材）２６とが固定されている。
【００２４】
第２の軸受２５は、第１の軸受２４よりも戸閉側に離れて配置されている。ストッパ２６は、第１の軸受２４と第２の軸受２５との間に配置されている。ストッパ２６には、可動閉塞体２１に対する衝撃を緩和する緩衝材２７が取り付けられている。ストッパ２６は、可動閉塞体２１を受けることにより、可動閉塞体２１が開放位置を行き過ぎることを防止する。
【００２５】
第１の軸受２４には第１の敷居側回動軸２８が取り付けられ、第２の軸受２５には第２の敷居側回動軸２９が取り付けられている。即ち、第１の敷居側回動軸２８は第１の軸受２４を介して敷居６に設けられ、第２の敷居側回動軸２９は第２の軸受２５を介して敷居６に設けられている。第１及び第２の敷居側回動軸２８，２９は、貫通溝部７ａの下方に配置されているとともに、敷居６の幅方向（即ち、敷居６の長さ方向及び厚さ方向のいずれに対しても垂直な方向）に沿って配置されている。
【００２６】
可動閉塞体２１の一端部（戸開側端部）には第１の閉塞体側回動軸３０が取り付けられ、可動閉塞体２１の他端部（戸閉側端部）には第２の閉塞体側回動軸３１が取り付けられている。第１及び第２の閉塞体側回動軸３０，３１は、図７に示すように、一対の側板部２１ｂ間に取り付けられている。また、第１及び第２の閉塞体側回動軸３０，３１は、第１及び第２の敷居側回動軸２８，２９と平行に配置される。
【００２７】
連動装置２２は、敷居６に対してそれぞれ回動可能な係合リンク（係合回動体）３２及び従動リンク（従動回動体）３３を有している。
【００２８】
係合リンク３２は、第１の敷居側回動軸２８及び第１の閉塞体側回動軸３０間に連結されたリンク部３４と、リンク部３４から突出し、貫通溝部７ａ内に挿入される係合部３５とを有している。係合リンク３２は、第１の敷居側回動軸２８を中心に回動可能で、かつ第１の閉塞体側回動軸３０を中心に回動可能になっている。係合リンク３２は、第１の敷居側回動軸２８を中心に回動されることにより敷居６に対して回動される。
【００２９】
従動リンク３３は、第２の敷居側回動軸２９及び第２の閉塞体側回動軸３１間に連結されている。また、従動リンク３３は、第２の敷居側回動軸２９を中心に回動可能で、かつ第２の閉塞体側回動軸３１を中心に回動可能になっている。従動リンク３３は、第２の敷居側回動軸２９を中心に回動されることにより敷居６に対して回動される。第２の敷居側回動軸２９と第２の閉塞体側回動軸３１との間の寸法は、第１の敷居側回動軸２８と第１の閉塞体側回動軸３０との間の寸法と同一とされている。従動リンク３３は、係合リンク３２の回動に追従して敷居６に対して回動される。
【００３０】
可動閉塞体２１は、係合リンク３２及び従動リンク３３の敷居６に対する回動に応じて閉塞位置（図４）と開放位置（図３）との間を変位される。可動閉塞体２１が閉塞位置にあるときには、図４に示すように、第１の敷居側回動軸２８を通る鉛直線上に第１の閉塞体側回動軸３０が配置され、第２の敷居側回動軸２９を通る線直線上に第２の閉塞体側回動軸３１が配置される。可動閉塞体２１が開放位置にあるときには、図３に示すように、第１の敷居側回動軸２８を通る水平線上に第１の閉塞体側回動軸３０が配置され、第２の敷居側回動軸２９を通る水平線上に第２の閉塞体側回動軸３１が配置される。
【００３１】
係合部３５は、可動閉塞体２１が開放位置にあるときにリンク部３４よりも上方に位置し（図３）、可動閉塞体２１が開放位置から閉塞位置へ変位される方向へ係合リンク３２が回動されることによりリンク部３４よりも戸開側の位置に変位される（図４）。また、係合部３５の先端部は、可動閉塞体２１が開放位置から閉塞位置へ変位される方向へ係合リンク３２が回動されることにより下方へ変位され、可動閉塞体２１が閉塞位置から開放位置へ変位される方向へ係合リンク３２が回動されることにより上方へ変位される。可動閉塞体２１が開放位置にあるときには、図３及び図５に示すように、係合部３５が可動閉塞体２１の上面よりも上方へ突出している。
【００３２】
可動閉塞体２１の一対の側板部２１ｂのそれぞれには、開放位置へ変位されるときの可動閉塞体２１が第２の敷居側回動軸２９との干渉を避けるための凹部３６が設けられている。可動閉塞体２１の一方の側板部２１ｂには、引きばね２３の一端部が掛けられる閉塞体側ばね掛け部３７が設けられている。ストッパ２６の下端部には、引きばね２３の他端部が掛けられる敷居側ばね掛け部３８が設けられている。
【００３３】
引きばね２３は、閉塞体側ばね掛け部３７及び敷居側ばね掛け部３８間に伸びた状態で張られている。可動閉塞体２１は、引きばね２３の弾性復元力により開放位置へ付勢されている。
【００３４】
第１及び第２の戸の脚１４，１５は、複数のボルト４１によってドアパネル１２の下端部にそれぞれ固定されている。また、第１及び第２の戸の脚１４，１５は、敷居溝７に挿入される戸の脚本体４２と、戸の脚本体４２の両側面に貼られた一対の摺動材４３（図９〜図１２）と、戸の脚本体４２の上部に固定された板状の取付部４４とをそれぞれ有している。
【００３５】
ここで、図９は図３の第１の戸の脚１４を示す一部破断斜視図、図１０は図９のX-X線に沿った断面図である。また、図１１は図３の第２の戸の脚１５を示す斜視図、図１２は図１１のXII-XII線に沿った断面図である。図において、戸の脚本体４２には、下方へ開放された逃がし溝４５が設けられている。逃がし溝４５は、敷居溝７の長さ方向に沿って設けられている。
【００３６】
取付部４４には、ボルト４１が通される複数のボルト通し穴４６が設けられている。第１及び第２の戸の脚１４，１５は、ボルト通し穴４６に通されたボルト４１がドアパネル１２のボルト穴（図示せず）に螺合されて締め付けられることにより、ドアパネル１２の下端部にそれぞれ固定されている。
【００３７】
可動閉塞体２１が開放位置（図３）にある状態で第１及び第２の戸の脚１４，１５が係合部３５の位置を通るときには、係合部３５が逃がし溝４５内を移動されるようになっている。従って、第１及び第２の戸の脚１４，１５は、可動閉塞体２１が開放位置にある状態で、係合部３５を逃がし溝４５内に通過させることにより、係合部３５を避けて敷居溝７内を移動可能になっている。
【００３８】
各引き戸１１の第１の戸の脚１４には、逃がし溝４５内に配置されたカム５１が固定されている。カム５１は、第１及び第２の戸の脚１４，１５のうち、第１の戸の脚１４にのみ固定されている。カム５１は、引き戸１１が戸開位置にあるときに引きばね２３の付勢力に逆らって係合部３５を押して可動閉塞体２１の位置を閉塞位置に保ち、引き戸１１が戸開位置から戸閉方向へ移動されることにより係合部３５から外れて可動閉塞体２１の開放位置への変位を可能とする。可動閉塞体２１は、カム５１が係合部３５から外れると、引きばね２３の付勢力によって閉塞位置から開放位置へ変位される。
【００３９】
カム５１の戸開側端部には、引き戸１１の移動方向に対して傾斜する傾斜部５１ａが設けられている。カム５１は、傾斜部５１ａを係合部３５に接触させながら引き戸１１とともに移動することにより係合リンク３２を回動させる。可動閉塞体２１は、係合部３５がカム５１に押されながら引き戸１１が戸開方向へ移動されることにより開放位置から閉塞位置へ変位され、引き戸１１が戸閉方向へ移動されてカム５１が係合部３５から外れることにより引きばね２３の付勢力によって開放位置へ変位される。
【００４０】
なお、敷居６には、出入口４の中心線上に位置し、貫通溝部７ａの上部の開口部を塞ぐ固定閉塞体５２が固定されている。固定閉塞体５２は、可動閉塞体２１との干渉を避けた位置に配置されている。また、エレベータの敷居溝閉塞装置は、閉塞体装置２０及びカム５１を有している。エレベータのドア装置は、敷居６、ハンガケース９、ドアレール１０、引き戸１１及び敷居溝閉塞装置（閉塞体装置２０及びカム５１）を有している。
【００４１】
次に、動作について説明する。引き戸１１が戸閉位置にあるときには、図３に示すように、カム５１が係合部３５から離れており、可動閉塞体２１が引きばね２３の付勢力により開放位置に変位されている。
【００４２】
各引き戸１１がドア駆動装置の駆動力により戸閉位置から戸開方向へ移動されると、第１及び第２の戸の脚１４，１５が敷居溝７内を戸開方向へ移動される。このとき、第１及び第２の戸の脚１４，１５は、可動閉塞体２１の上方を移動される。また、第２の戸の脚１５は、逃がし溝４５内に係合部３５を移動させることにより、係合部３５との干渉を避けて係合部３５の位置を通る。
【００４３】
この後、各引き戸１１が戸開位置に近づくと、カム５１の傾斜部５１ａが係合部３５に接触する。この後、係合部３５をカム５１で押しながら各引き戸１１がさらに戸開方向へ移動されることにより、引きばね２３の付勢力に逆らって係合リンク３２及び従動リンク３３が回動される。これにより、可動閉塞体２１が開放位置から閉塞位置に近づく方向へ変位される。この後、各引き戸１１が戸開位置に達すると、図４に示すように、可動閉塞体２１が閉塞位置に達する。各引き戸１１が戸開位置にあるときには、係合部３５がカム５１に押された状態で可動閉塞体２１の位置が閉塞位置に保たれる。
【００４４】
各引き戸１１がドア駆動装置の駆動力により戸開位置から戸閉方向へ移動されると、引きばね２３の付勢力に従って、係合部３５をカム５１の傾斜部５１ａに接触させながら係合リンク３２が回動される。このとき、従動リンク３３も係合リンク３２の回動に応じて回動される。これにより、可動閉塞体２１が閉塞位置から開放位置に近づく方向へ変位される。
【００４５】
この後、各引き戸１１が戸閉方向へさらに移動されてカム５１が係合部３５から外れると、可動閉塞体２１が開放位置に達する。このとき、ストッパ２６が緩衝材２７を介して可動閉塞体２１を受ける。これにより、可動閉塞体２１の位置が開放位置に保たれる。
【００４６】
この後、各引き戸１１が戸閉方向へさらに移動される。このとき、第１及び第２の戸の脚１４，１５は、係合部３５を避けながら敷居溝７内で可動閉塞体２１の上方を移動される。この後、各引き戸１１が戸閉位置に達することにより出入口４が閉じる。
【００４７】
このようなエレベータのドア装置及び敷居溝閉塞装置では、引き戸１１の下端部にカム５１が設けられ、引き戸１１が戸開位置にあるときに係合リンク３２の係合部３５がカム５１に押されて可動閉塞体２１の位置が閉塞位置に保たれ、引き戸１１が戸開位置から戸閉方向へ移動されることによりカム５１が係合部３５から外れて可動閉塞体２１が開放位置へ変位可能となるので、出入口４が開いているときに、可動閉塞体２１で敷居溝７を塞ぐことができる。これにより、敷居溝７に異物が入ることを防止することができる。また、カム５１が係合部３５から外れた状態では、可動閉塞体２１を引き戸１１の下方に変位させておくことができる。これにより、出入口４を開閉するときに、可動閉塞体２１を引き戸１１に接触させずに引き戸１１を移動させることができる。従って、引き戸１１や可動閉塞体２１の摩耗の促進を抑制することができ、ドア装置の長寿命化を図ることができる。
【００４８】
また、引き戸１１に設けられたカム５１で係合部３５を押した状態で可動閉塞体２１を閉塞位置に保持するので、例えば乗客が可動閉塞体２１に乗っても可動閉塞体２１が下方に沈み込みにくくすることができる。これにより、例えば乗客が敷居溝７でつまずくこと等を防止することができる。
【００４９】
また、可動閉塞体２１は、引きばね２３により開放位置へ付勢されているので、カム５１が係合部３５から外れたときに、可動閉塞体２１をより確実に開放位置へ変位させることができる。
【００５０】
また、第１及び第２の戸の脚１４，１５が係合部３５を避けて敷居溝７内を移動可能になっており、第１及び第２の戸の脚１４，１５のうち、戸閉側に位置する第１の戸の脚１４にカム５１が設けられているので、係合部３５との干渉を避けて第１及び第２の戸の脚１４，１５を敷居溝７内で移動させることができるとともに、カム５１の設置スペースも小さくすることができる。
【００５１】
また、第１の敷居側回動軸２８及び第１の閉塞体側回動軸３０間に係合リンク３２が回動可能に連結され、第２の敷居側回動軸２９及び第２の閉塞体側回動軸３１間に従動リンク３３が回動可能に連結されているので、簡単な構成で可動閉塞体２１を水平に保ったまま変位させることができる。
【００５２】
また、可動閉塞体２１が閉塞位置にあるときに、第１の敷居側回動軸２８を通る鉛直線上に第１の閉塞体側回動軸３０が配置され、かつ第２の敷居側回動軸２９を通る鉛直線上に第２の閉塞体側回動軸３１が配置されるので、可動閉塞体２１が上から押されても、係合リンク３２及び従動リンク３３を回動しにくくすることができる。これにより、閉塞位置にあるときの可動閉塞体２１をさらに確実に沈み込みにくくすることができる。
【００５３】
なお、上記の例では、可動閉塞体２１が引きばね２３により開放位置へ付勢されているが、引きばね２３がなくても、引き戸１１が戸閉方向へ移動されるときに可動閉塞体２１が第１の戸の脚１４で押されることにより可動閉塞体２１が閉塞位置から開放位置へ変位されるので、引きばね２３はなくてもよい。
【００５４】
また、上記の例では、引きばね２３が可動閉塞体２１に接続されているが、係合リンク３２及び従動リンク３３の少なくともいずれか一方に引きばね２３を接続して、可動閉塞体２１を開放位置へ付勢するようにしてもよい。
【００５５】
また、上記の例では、ストッパ２６が可動閉塞体２１を受けることにより可動閉塞体２１の位置を開放位置に保つようになっているが、係合リンク３２及び従動リンク３３の少なくともいずれか一方をストッパ２６が受けることにより、可動閉塞体２１の位置を開放位置に保つようにしてもよい。
【００５６】
また、上記の例では、下方へ開放された逃がし溝４５を第１及び第２の戸の脚１４，１５に設けることにより、第１及び第２の戸の脚１４，１５と係合部３５との干渉を避けるようにしているが、第１及び第２の戸の脚１４，１５が敷居溝７内で係合部３５の上方を移動されるようにすれば、敷居溝７内で係合部３５を避けて第１及び第２の戸の脚１４，１５を移動させることができるので、第１及び第２の戸の脚１４，１５に逃がし溝４５を設けなくてよい。この場合、カム５１は、第１の戸の脚１４の下面から突出して設けられる。
【００５７】
また、上記の例では、係合リンク３２及び従動リンク３３を有する連動装置２２により可動閉塞体２１が変位可能に支持されているが、係合リンク３２の回動に応じて可動閉塞体２１を閉塞位置と開放位置との間で変位させる構成であれば、連動装置２２の構成はこれに限定されない。例えば、従動リンク３３を設けずに可動閉塞体２１を係合リンク３２にのみ固定し、係合リンク３２の回動により閉塞位置と開放位置との間で可動閉塞体２１を変位させるようにしてもよい。この場合、閉塞位置にあるときの可動閉塞体２１を水平にすると、開放位置にあるときの可動閉塞体２１が傾斜することとなるが、可動閉塞体２１が開放位置にあるときに第１及び第２の戸の脚１４，１５が可動閉塞体２１の上方を移動可能であれば、敷居溝７に異物が入ることを防止することができ、ドア装置の長寿命化を図ることができるという上記と同様の効果を得ることができる。
【００５８】
また、上記の例では、敷居６を上下に貫通する貫通溝部７ａに閉塞体装置２０が設けられているが、閉塞体装置２０が設置可能な敷居溝７の深さがあれば、閉塞体装置２０が設けられる部分は敷居６を上下に貫通していなくてもよい。
【００５９】
また、上記の例では、この発明が、かご１の出入口４を開閉するかごドア装置に適用されているが、各階の乗場に設けられた出入口（乗場出入口）を開閉する乗場ドア装置にこの発明を適用してもよい。
【００６０】
また、上記の例では、一対の引き戸１１が互いに逆方向へ移動されることにより出入口４を開閉する中央開き式のドア装置にこの発明が適用されているが、複数枚の引き戸を同じ方向へ移動させることにより出入口４を開閉する片開き式のドア装置にこの発明を適用してもよい。この場合、敷居溝に配置される可動閉塞体の長さは、各引き戸の移動距離に応じて設定される。例えば、高速及び低速の２枚の引き戸を移動させて出入口４を開閉する片開き式のドア装置にこの発明を適用する場合、高速の引き戸の下端部が挿入される一方の敷居溝に配置される可動閉塞体の長さは、低速の引き戸の下端部が挿入される他方の敷居溝に配置される可動閉塞体の長さよりも長くされる。
【符号の説明】
【００６１】
４  出入口、６  敷居、７  敷居溝、１１  引き戸、２１  可動閉塞体、２２  連動装置、２３  引きばね（付勢体）、２８  第１の敷居側回動軸、２９  第２の敷居側回動軸、３０  第１の閉塞体側回動軸、３１  第２の閉塞体側回動軸、３２  係合リンク（係合回動体）、３３  従動リンク（従動回動体）、３５  係合部、５１  カム。
【図１】
2013001482.tif 000003
【図２】
2013001482.tif 000004
【図３】
2013001482.tif 000005
【図４】
2013001482.tif 000006
【図５】
2013001482.tif 000007
【図６】
2013001482.tif 000008
【図７】
2013001482.tif 000009
【図８】
2013001482.tif 000010
【図９】
2013001482.tif 000011
【図１０】
2013001482.tif 000012
【図１１】
2013001482.tif 000013
【図１２】
2013001482.tif 000014